(57)【要約】【課題】  電池コネクタの提供。【解決手段】  電池コネクタは、案内溝と取り付け溝を具えた絶縁本体、案内溝に取り付けられる案内部品、案内部品に組み合わされる接触部品、取り付け溝に取り付けられるソルダー部品、案内部品に回復力を提供する弾性部品を包含し、そのうち接触部品とソルダー部品が少なくとも一カ所で接触し、該接触部品が案内部品及び弾性部品により安定した動作と必要な接触力と回復力を提供し、この構造によりコネクタの全体高さが減らされて小型化の発展に符合するものとされる。【選択図】        図１
0003114114.tif 000002
【実用新案登録請求の範囲】
【請求項１】
電池コネクタにおいて、
接続面とソルダー面を具え、該接続面にソルダー面に貫通する複数の案内溝が設けられ、これら案内溝の付近に取り付け溝が設けられた絶縁本体と、
該案内溝内に取り付けられ、該案内溝内をスライドする案内部品と、
接続面に近い案内部品の一側に取り付けられる取り付け端と一部が接続面に近い案内溝外に突出する接触端とを具えた接触部品と、
絶縁本体の取り付け溝に取り付けられ、ソルダー端と当接端を具え、該当接端が始終接触部品と接触を保持するソルダー部品と、
ソルダー面に近い案内部品の一側に取り付けられて案内部品に動作後の回復力を提供する弾性部品と、
を包含することを特徴とする、電池コネクタ。
【請求項２】
請求項１記載の電池コネクタにおいて、接触部品の取り付け端と接触端が同一金属材を一体に折り曲げてなることを特徴とする、電池コネクタ。
【請求項３】
請求項２記載の電池コネクタにおいて、ソルダー部品のソルダー端と当接端は、平坦な金属を折り曲げてなる平坦な板体とされ、板体の一端が折り曲げられて表面実装に適合するソルダー端が形成され、平坦な板面が当接端とされ、その両側にフックが形成されて干渉式に取り付け溝内に取り付けられることを特徴とする、電池コネクタ。
【請求項４】
請求項３記載の電池コネクタにおいて、カバーを更に包含し、該カバーは絶縁本体のソルダー面の一側に取り付けられ、カバーと絶縁本体の組合せはカバーに設置された係止ブロックと絶縁本体にそれに対応して設置された係止溝の係合により達成されることを特徴とする、電池コネクタ。
【請求項５】
請求項４記載の電池コネクタにおいて、弾性部品が圧縮バネとされたことを特徴とする、電池コネクタ。
【請求項６】
請求項５記載の電池コネクタにおいて、カバーのソルダー面に対向する一側に第１位置決め溝が設けられ、案内部品のソルダー面に対向する一側に第２位置決め溝が設けられ、圧縮バネの両端が該第１位置決め溝と第２位置決め溝内に位置決めされたことを特徴とする、電池コネクタ。
【請求項７】
請求項６記載の電池コネクタにおいて、案内溝が方形とされ、案内部品が方形体とされたことを特徴とする、電池コネクタ。
【請求項８】
請求項７記載の電池コネクタにおいて、取り付け溝が水平とされて板形のソルダー部品の取り付けに便利とされたことを特徴とする、電池コネクタ。
【請求項９】
請求項８記載の電池コネクタにおいて、絶縁本体の接続面に隣接する両側に嵌め溝が設けられ、並びに取り付けアームとソルダーアームを具えた位置決め片が該嵌め溝に取り付けられたことを特徴とする、電池コネクタ。
【請求項１０】
請求項９記載の電池コネクタにおいて、位置決め片のソルダーアーム及び接触部品のソルダー端が表面実装に適合するよう折り曲げられて形成されたことを特徴とする、電池コネクタ。
【考案の詳細な説明】
【技術分野】
【０００１】
本考案は一種の電池コネクタに係り、特に全体高さが低く、体積が小さく、且つ接続時に導電端子が確実に接触して電気信号伝送の安定を確保し、充電効果を良好とする充電用電池コネクタに関する。
【背景技術】
【０００２】
ポータブル電子製品、例えば携帯電話、ＰＤＡ、ノートブック型コンピュータ或いはデジタルカメラ等の最も便利な機能の一つは、消費者に非定点式使用を提供することであり、これら電子製品自身は電力消耗を必要とし、このため随時電力の補充が行えることが重要な要求とされる。ゆえに、これら電子製品には充電装置が設置されて電力補充できるものとされている。これら電子製品と電源の間の電力補充の媒体は電池コネクタとされ、このような電池コネクタは、絶縁本体と、絶縁本体に取り付けられて回路板に半田付けされた複数の導電端子を具え、そのうち各導電端子はこれら電子製品の充電端子と接触する接触部と、回路板に半田付けされるソルダー部とを具えている。
【０００３】
周知の電池コネクタの導電端子構造は、接触端に接触弾性を具備させるため、ほとんどは一体折り曲げ方式で形成され、導電端子の一端は回路板に半田付けされるソルダー部とされ、別端にサスペンションアーム式の接触部が形成され、これにより接触部に撓み性が提供されている。しかし、一体折り曲げ方式により適当な撓み性を保持させるための折り曲げ部分の折り曲げ角度は材料と成形条件の制限により、固定値とされなければならないが、この固定値により折り曲げ後の高さが制限され、このためコネクタの全体高さに影響が生じ、有効に低くすることができなくなり、製品の小型化の発展傾向に符合しなくなる。
【考案の開示】
【考案が解決しようとする課題】
【０００４】
本考案の目的は、小型化の発展に適合する電池コネクタを提供することにあり、その導電端子の構造は成形条件に制限されず、接触端が良好な接触弾性を具備するのみならず、高さを有効に減らすことができ、これによりコネクタの全体高さを下げることができるものとする。
【０００５】
上述の目的を達成するため、本考案の電池コネクタの特徴は、導電端子がそれぞれ独立し且つ少なくとも一カ所で接触する接触部品とソルダー部品を具え、且つ該接触部品が案内部品及び弾性部品により、安定した動作と必要な接触力と回復力を提供し、これにより充電時に、接触部品が一側に向けて押動される時、案内部品の案内により該弾性部品を圧迫してエネルギーを保存させ、安定して対応する充電端子と接触することにある。充電完了後に該接触部品押圧の原因が排除されれば、弾性部品の保存エネルギーにより充電前の位置に戻る。
【課題を解決するための手段】
【０００６】
請求項１の考案は、電池コネクタにおいて、
接続面とソルダー面を具え、該接続面にソルダー面に貫通する複数の案内溝が設けられ、これら案内溝の付近に取り付け溝が設けられた絶縁本体と、
該案内溝内に取り付けられ、該案内溝内をスライドする案内部品と、
接続面に近い案内部品の一側に取り付けられる取り付け端と一部が接続面に近い案内溝外に突出する接触端とを具えた接触部品と、
絶縁本体の取り付け溝に取り付けられ、ソルダー端と当接端を具え、該当接端が始終接触部品と接触を保持するソルダー部品と、
ソルダー面に近い案内部品の一側に取り付けられて案内部品に動作後の回復力を提供する弾性部品と、
を包含することを特徴とする、電池コネクタとしている。
請求項２の考案は、請求項１記載の電池コネクタにおいて、接触部品の取り付け端と接触端が同一金属材を一体に折り曲げてなることを特徴とする、電池コネクタとしている。
請求項３の考案は、請求項２記載の電池コネクタにおいて、ソルダー部品のソルダー端と当接端は、平坦な金属を折り曲げてなる平坦な板体とされ、板体の一端が折り曲げられて表面実装に適合するソルダー端が形成され、平坦な板面が当接端とされ、その両側にフックが形成されて干渉式に取り付け溝内に取り付けられることを特徴とする、電池コネクタとしている。
請求項４の考案は、請求項３記載の電池コネクタにおいて、カバーを更に包含し、該カバーは絶縁本体のソルダー面の一側に取り付けられ、カバーと絶縁本体の組合せはカバーに設置された係止ブロックと絶縁本体にそれに対応して設置された係止溝の係合により達成されることを特徴とする、電池コネクタとしている。
請求項５の考案は、請求項４記載の電池コネクタにおいて、弾性部品が圧縮バネとされたことを特徴とする、電池コネクタとしている。
請求項６の考案は、請求項５記載の電池コネクタにおいて、カバーのソルダー面に対向する一側に第１位置決め溝が設けられ、案内部品のソルダー面に対向する一側に第２位置決め溝が設けられ、圧縮バネの両端が該第１位置決め溝と第２位置決め溝内に位置決めされたことを特徴とする、電池コネクタとしている。
請求項７の考案は、請求項６記載の電池コネクタにおいて、案内溝が方形とされ、案内部品が方形体とされたことを特徴とする、電池コネクタとしている。
請求項８の考案は、請求項７記載の電池コネクタにおいて、取り付け溝が水平とされて板形のソルダー部品の取り付けに便利とされたことを特徴とする、電池コネクタとしている。
請求項９の考案は、請求項８記載の電池コネクタにおいて、絶縁本体の接続面に隣接する両側に嵌め溝が設けられ、並びに取り付けアームとソルダーアームを具えた位置決め片が該嵌め溝に取り付けられたことを特徴とする、電池コネクタとしている。
請求項１０の考案は、請求項９記載の電池コネクタにおいて、位置決め片のソルダーアーム及び接触部品のソルダー端が表面実装に適合するよう折り曲げられて形成されたことを特徴とする、電池コネクタとしている。
【考案の効果】
【０００７】
本考案の電池コネクタは、案内溝と取り付け溝を具えた絶縁本体、案内溝に取り付けられる案内部品、案内部品に組み合わされる接触部品、取り付け溝に取り付けられるソルダー部品、案内部品に回復力を提供する弾性部品を包含し、そのうち接触部品とソルダー部品が少なくとも一カ所で接触し、該接触部品が案内部品及び弾性部品により安定した動作と必要な接触力と回復力を提供し、この構造によりコネクタの全体高さが減らされて小型化の発展に符合するものとされる。
【考案を実施するための最良の形態】
【０００８】
図１に示されるように、本考案の電池コネクタ１は、絶縁本体２、案内部品３、接触部品４、ソルダー部品５、弾性部品６、及びカバー７を包含する。そのうち、絶縁本体２は接続面２０とソルダー面２１を具え、該接続面２０に該ソルダー面２１に貫通する四つの方形案内溝２２が設けられ、該案内溝２２に案内部品３が取り付けられる。これら案内溝２２それぞれの下方に水平な取り付け溝２３が設けられ、ソルダー部品５が取り付けられる。また、絶縁本体２の接続面２０に近接する両側に嵌め溝２４が設けられて位置決め片２５が取り付けられ、該位置決め片２５は取り付けアーム２５１を具え、該取り付けアーム２５１により干渉方式で該嵌め溝２４内に取り付けられ、該位置決め片２５はまたソルダーアーム２５２を具え、該ソルダーアーム２５２は折り曲げられて表面実装に適合するものとされる。また、絶縁本体２のソルダー面２１に近接する両側に係止溝２６が設けられてカバー７の組合せに供される。
【０００９】
該カバー７は両側に前述の絶縁本体２の係止溝２６に係合する係止ブロック７０が設けられている。また、カバー７のソルダー面２１に対向する一側に第１位置決め溝７１が設けられ、該第１位置決め溝７１は後述の弾性部品６の一端の位置決めに用いられる。
【００１０】
該案内部品３は方形体とされて案内溝２２内に取り付けられ、案内溝２２内をスライド自在とされ、そのソルダー面２１に対向する一側（図４）に第２位置決め溝３０が設けられて後述の弾性部品６の別端の位置決めに供される。
【００１１】
該接触部品４は、取り付け端４０と接触端４１を具え、同一金属材を一体折り曲げ加工してなり、そのうち取り付け端４０は接続面２０に近接する一側の案内部品３に取り付けられ、取り付け後に一部が案内溝２２外に突出する。該接触端４１は表面実装に適合するよう折り曲げられている。
【００１２】
該ソルダー部品５は金属製の平坦な板体が加圧加工されてなり、板体の一端が表面実装に適合するように折り曲げられてソルダー端５０が形成され、平坦な板面が当接端５１とされ、両側にフック５２が形成されて干渉を形成するように取り付け溝２３内に取り付けられ、そのうち、平坦な当接端５１は始終接触部品４の接触端４１と接触を保持する（図４、５参照）。
【００１３】
該弾性部品６は圧縮バネとされ、それは前述の案内部品３とカバー７の間に取り付けられ、両端はそれぞれ第１位置決め溝７１と第２位置決め溝３０内に取り付けられ、案内部品３に動作後の回復力を提供する。
【００１４】
本考案を組み立てる時は、図１に示されるように、案内部品３に組み合わされた接触部品４を案内溝２２内に取り付け、並びにソルダー部品５をそのフック５２により干渉を形成するように該取り付け溝２３内に取り付け、弾性部品６の両端を第１位置決め溝７１及び第２位置決め溝３０内に当接させて位置決めし、最後にカバー７の係止ブロック７０を絶縁本体２の係止溝２６内に係合させ、並びに該位置決め片２５の取り付けアーム２５１を干渉を形成するように嵌め溝２４内に取り付ければ組立が完成する（図２）。
【００１５】
続いて図３から図５を参照されたい。本考案が充電を行う時は、該接触部品４が一側に向けて押動され、案内部品３の案内溝２２に沿った案内により、該弾性部品６を圧迫してエネルギーを保存させ（図５）、この時、平坦な当接端５１は始終接触部品４の接触端４１と接触を保持し、弾性部品６の保存エネルギーにより該接触部品４が押動され対応する充電端子（図示せず）と安定した接触を達成する。充電完了後に、接触部品４の押圧の原因が除去されると、弾性部品６の保存エネルギーにより充電前の位置に回復する（図４）。ゆえに、図４、５の動作関係から本考案の電池コネクタの信号接触はソルダー部品５の当接端５１が始終接触部品４の接触端４１と接触を保持し、並びに弾性部品６の保存エネルギーが組み合わされることにより、確実に接触効果を提供することが分かる。且つ本考案は接触部品４の折り曲げの角度に十分な撓み性を具備するかを考慮する必要がないため、小角度の折り曲げで十分であり、間接的にコネクタの高さを有効に減らすことができる。
【図面の簡単な説明】
【００１６】
【図１】本考案の電池コネクタの立体分解図である。
【図２】図１の立体組合せ図である。
【図３】図２の３−３断面図である。
【図４】本考案の電池コネクタの充電前の表示図である。
【図５】本考案の電池コネクタの充電後の表示図である。
【符号の説明】
【００１７】
１  電池コネクタ                ２  絶縁本体
３  案内部品                    ４  接触部品
５  ソルダー部品                ６  弾性部品
７  カバー                      ２０  接続面
２１  ソルダー面                ２２  案内溝
２３  取り付け溝                ２４  嵌め溝
２５  位置決め片                ２６  係止溝
３０  第２位置決め溝            ４０  取り付け端
４１  接触端                    ５０  ソルダー端
５１  当接端                    ５２  フック
７０  係止ブロック              ７１  第１位置決め溝
２５１  取り付けアーム          ２５２  ソルダーアーム
【図１】
0003114114.tif 000003
【図２】
0003114114.tif 000004
【図３】
0003114114.tif 000005
【図４】
0003114114.tif 000006
【図５】
0003114114.tif 000007